(57)【要約】【目的】道糸ＡとハリスＢとの間に介在させる伸縮自在の軟質材でなる釣用クッションゴムが繰り返し引張りによってヘタルことのない、そして過剰な引張りによって破断することのない釣用クッションゴムであること。【構成】道糸ＡとハリスＢとの間に介在させる伸縮自在の軟質材でなる釣用クションゴム１であって、このチューブ体の自然長となる全長Ｌより２倍から３倍もしくは、数倍の全長Ｌ’からなる非伸縮性のポリエチレン糸もしくは、ナイロン糸での中通し糸４を中空部２に貫通させて、その両端がチューブ体の全長Ｌと同等長さに縮ませて収容し、相互の夫々の両端を合致させて、サルカン５やスナップなどの係止具に固定し、夫々のサルカン５が前記する道糸ＡとハリスＢに接続し、チューブ体３に掛る引張りによる最大伸びを、中空部に収容する中通し糸４の全長Ｌ’以上の伸長を規制することでチューブ体３がクッション性を損なうことなく、ヘタリや過剰な引張り力による破断を中通し糸４の強度がチューブ体３を上回る強度にすることで、チューブ体３のクッション性を保護する構成である。【選択図】　図１
2004121202.tif 000002
【特許請求の範囲】
【請求項１】
道糸（Ａ）とハリス（Ｂ）との間に介在させる伸縮性自在の軟質材でなる釣用クッションゴム（１）において、当該釣用クッションゴム（１）を中空部（２）からなる伸縮自在のチューブ体（３）にし、このチューブ体の自然長となる全長（Ｌ）より２倍から３倍もしくは、数倍の全長（Ｌ’）からなる非伸縮性のポリエチレン糸もしくは、ナイロン糸での中通し糸（４）を中空部（２）に貫通させて、その両端がチューブ体の全長（Ｌ）と同等長さにたるませて収容し、相互のそれぞれの両端を合致させてサルカン（５）やスナップなどの係止具に固定し、夫々のサルカン（５）が前記する道糸（Ａ）とハリス（Ｂ）に接続し、チューブ体（３）にかかる引張りによる最大伸びを、中空部（２）に収容する中通し糸（４）の全長（Ｌ’）以上の伸縮を規制することでチューブ体（３）がクッション性を損なうことなく、ヘタリや過剰な引張り力による破断を中通し糸（４）の強度がチューブ体（３）を上回る強度設定によって、チューブ体（３）のクッション性を保護可能にしことを特徴とする釣用クッションゴム。
【請求項２】
上記するチューブ体（３）の両サイドの開口部（６）を止め軸（８）などで密閉し、中空部（２）への浸水を阻止し、中空部（２）内の空気（Ｃ）によって海中でチュブ体（３）に浮力をもたせることを可能にしたことを特徴とする請求項１記載の釣用クッション。
【発明の詳細な説明】
【０００１】
【従来の技術】此の種の従来の技術として、図４で示すように弾性線体の伸縮自在のポリウレタンエラストマーからなる釣用クッションゴム（釣糸用接続具）１’の所定の太さと長さで両サイドにサルカン（金属製撚り戻し具）５’が接続されている。
【０００２】そしてそれらのサルカン５’には、釣竿から吊るされる道糸Ａが接続され片方のサルカン５’には釣針がつるされたハリスＢが接続される。
【０００３】これらの釣用クッションゴム１’は、魚がつれた際の衝撃を緩和し、ハリスの切れを防止し、魚の口切れを防止し、更には魚の一瞬の急激な引きに対応し魚へのハリ掛りを確実にしている。
【０００４】また、これらの釣用クッションゴム１’は、自在に伸縮することで、餌の動きが海中の自然の流れに準じて移動することで、釣針の餌に何の警戒心をおこすことなく魚は好んで食いあさることになる。
【０００５】
【発明が解決しようとする課題】しかしながら上記する従来技術では、釣用クッションゴム１’は伸縮自在のゴム質での弾性線条体のため海中で何回となく魚のアタリ具合や魚の釣り上げによって釣用クッションゴム１’の伸び縮みが繰り返されることで、ゴム質の釣用クッションゴム１’がヘタッてしまうことで、もろくなり伸縮性が極度に低下してしまい頻繁に新品との交換を余儀なくされるという課題がある。
【０００６】また、これらの伸縮自在のゴム質での釣用クッションゴム１’が過剰な魚の引張力で破断した場合、その釣用クッションゴム１’の反動によって釣り人や釣場近辺に直撃を受けて思いがけない危害が発生するなどの課題がある。
【０００７】そしてまた、魚の大物釣り例えばヒラマサ釣りなどの仕掛けにクッションを使う場合、強力なクッション１’がおのずと太い直径の重い釣用クッションゴム１’になることで釣用クッションゴム１’自体が海中での流れに即応出来ず不自然な動きのハリスの釣針の餌に魚が警戒心をおこすことで釣果が出ないなどの課題がある。
【０００８】
【課題を解決するための手段】この発明は上記する欠点ともなるを課題を解決するために請求項１の発明は、図１．２で述べるように道糸ＡとハリスＢとの間に介在させる伸縮自在の軟質材でなる釣用クッションゴム１を中空部２からなる伸縮自在のチューブ体３にし、このチューブ体の自然長である全長Ｌより２倍から３倍前後での全長Ｌ’からなる非伸縮性のポリエチレン糸もしくは、ナイロン糸での中通し糸４を中空部２に貫通させて、チューブ体３の夫々の両サイドと合致させてサルカン５などの係止具に夫々を固定し、前記するチューブ体３の中空部２の内部に中通し糸４をたるませて収容し、チューブ体３のかかる引張りによる最大伸びを、その中空部２に収容する中通し糸４の、全長Ｌ’以上に伸びることなく規制し、チューブ体３が伸縮によるヘタリや過剰な引張りによるチューブ体３の切れを、中通し糸４の強度がチューブ体３を上回る引張り強度にすることでチューブ体３を保護可能にした形成にしている。
【０００９】次に請求項２の発明は、図３で述べるに上記するチューブ体３の両サイドの開口部６をサルカン５で密閉し、中空部２に浸水を阻止し、中空部２の空気Ｃでチューブ体３に浮力をもたせる形成にしたものである。
【００１０】
【発明の実施の形態】以下に図示の実施例に基づいて本発明を更に詳細に説明する。即ち図１．２は本発明での第１実施例に基づくもので、図１は１部断面での全体を示す斜視図で、また図２は１部断面での引張り状態での全体を示す斜視図である。
【００１１】磯釣りなどで一般的にリールザオのトップガイドから道糸Ａが吊るされそれらが発泡ウキ・更に寄せエサカゴなどを介在しながらその先に釣用クッションゴム１が接続され、サルカン５やスナップなどの係止具を固定し、そのクッションゴム１は更に釣り針の吊るされるハリスＢに接続される。
【００１２】そして、この釣用クッションゴム１は伸縮自在の軟質材の熱可塑性ポリウレタンエラストマーやシリコンゴム等の合成ゴム材での中空部２からなるチューブ体３にし、これらのチューブ体の中空部２に非伸縮性のポリエチレン糸もしくは、ナイロン糸や繊維糸でなる中通し糸４が中空部２に貫通されている。
【００１３】これらのチューブ体３の自然長となる全長Ｌより２倍から３倍もしくは数倍での自然長である非伸縮性の中通し糸４の全長Ｌ’に本実施例は適用している。
【００１４】そして、夫々の全長違いの中通し糸４とチューブ体３はちぐはぐの長さを、夫々の端子をそろえるためにチューブ体３だけを除除に伸張して非伸縮性の中通し糸４と同等の全長にそろえることで、夫々の端子が合致し、そのサイドにサルカン５やスナップが固定される。
【００１５】双方のサルカン５の片方のリング５ａに中通し糸４が結ばれ、チューブ体３の端子は、サルカン本体５ｂに差し込まれ、それらが伸張り力でサルカン５から離脱しないようリング５ａのくびれ部を強靭な糸で固く縛るなどで固定する。
【００１６】上記する中通し糸４とチューブ体３の夫々の端子のサルカン５との結合については、図３で述べるようにサルカン５のリング５ａに中軸７を通した外周にくびれ部のもつ止め軸８を使うなどして、中軸のサイドをサルカン５に接続し、他方は中通し糸４に固定し、更に止め軸８の外周にチューブ体３の端子が差し込まれて、そのくびれ部に強靭な糸を使って固く縛ることで固定するなども可能である。
【００１７】そして、中通し糸４と伸張したチューブ体３の夫々の端子にサルカン５が固定されることでチューブ体３自然長への縮少によって中空部２に貫通する中通し糸４の全長Ｌ’が中空部２の内部にカール状にたるんだ状態で収容される。
【００１８】これらの中通し糸４とそれを巻装するチューブ体３との複合された釣用のクッションゴム１は夫々のサイドのサルカン５が道糸ＡとハリスＢに接続されることで、ハリスＢにつるされた釣針にくいついた魚の引張りによるチューブ体３の最大伸びが、その中空部２に収容する中通し糸４の非伸縮性の中通し糸４の、全長Ｌ’以上に伸びることなく、その全長がチューブ体３の最大限の伸びとなる。
【００１９】このように、伸縮自在の軟質材でチューブ体の中通し糸４を収容する釣用クッションゴム１は、所定の伸び縮みの伸び率の限界内で頻繁に伸縮を繰返すことで、餌用クッションゴム１の無限の伸びによる切断が阻止され、且つこれらの釣用クッションゴム１でのチューブ体３の自然長での全長Ｌより２倍から３倍もしくは数倍での伸張り全長Ｌ’にすることで、ポリウレタンエラストマーやシリコンゴム等の合成ゴムの引張り特性がダウンすることなく、全く弾性を失うことのない即ちヘタリのない釣用クッションゴム１を具現化している。
【００２０】仮に、道糸ＡやハリスＢの強度を上回る中通し糸４であるポリエチレン糸やナイロン糸をチューブ体３に収納することで、道糸ＡやハリスＢより更に強力なヘタリのない伸縮自在な安全で破断のない釣用クッションゴム１となる。
【００２１】次に請求項２の発明は、図３で述べるようにチューブ体３の両サイドの開口部６を丸状で外周にくびれのもつ止め軸８に差し込んで密閉し、中空部２に浸水するのを防止することで、中空部２の空気Ｃによってチューブ体３に浮力をもたせることの構成にしている。
【００２２】本実施例では、丸状の外周にくびれのもつ止め軸８に差し込んだチューブ体３はくびれ部に強靭な糸を使って固く縛ることも出来るが、他の固定の仕方も種種採用出来る。
【００２３】これらの止め軸８の中央に開口する孔に中軸７が貫通されて夫々の端子がリング状で中通し糸４を固定し、サルカン５と接続し、海水が中軸７の止め軸８への貫通時のクリアランスを接着剤で封印するなどして密閉するとよい。
【００２４】上記する釣用クッションゴム１’では、大物釣りでの釣用クッションゴム１’がおのずから太い直径の自重の重い釣用クッションゴム１になることで、海中での比重を軽くすることでハリスの釣針の餌に自然な動きを出すことで魚が警戒心をおこすことなく釣果を出すことの出来る仕組みを具現化している。
【００２５】更に、本発明によるクッションゴム１を使ってサーフボードやボディーボード等を体に接続しておく接続部材として使用してもよい。例えばクッションゴム１の一端をサーフボードやボディーボード等に接続する一方、他方に足首や手首等での身体の一部に取りつけるバンドに接続して使うなどの用途も可能である。
【００２６】これらのチューブ体３の引張り伸びを２倍から３倍もしくは数倍にすることで中通し糸４の自然長である全長Ｌ’に合致するチューブ体３の伸び率は伸縮の繰返しによって弾力性を欠なわない即ちヘタレない限界を決定するもので、チューブ状３の材質や諸寸法によって変動することになるが本実施例ではシリコンチューブで内径φ２ｍｍ外径φ３ｍｍで３０ｃｍの自然長に、中空部２にポリエステル糸の全長Ｌ’を９０ｃｍにしてのトライアルで、チューブ体３の引張りを３倍に引張り伸縮自在に数１００回の繰返しでもチューブ体３のヘタリや破断がみられなかったが、必ずしも２倍から３倍に特定するものでなく、一つの実施例としての具体例を示すものであるのでその限りでない。
【００２７】
【発明の効果】本発明は上述の通り構成、作用するので次の優れた効果を奏する。即ち図１．２でのべる第１実施例においては、道糸とハリスの間に介在して使用された際に、適切な伸縮性を有してのクッション効果を出し、魚の釣針による魚の口切れやはずれのない、更には過剰な引き込みやショックでその特性の低下のない全く破断のない、新品交換の不要な釣用クッションゴムを提供することが出来る。
【００２８】次に、図３で述べる第２実施例においては、海中で浮力のある釣用クッションゴムのためそのクッションゴムの共に吊るされるハリスの釣針の餌の動きが自然体に海中で浮遊することで、魚が全く警戒心のおこすことない釣用クッションゴムを提供することが出来る。
【００２９】このように釣りの最中に過剰な魚の重量や引張り反動などで突発的なクッション破断がないことで、クッションの破断の反発力を釣り人が身辺に受けることのない安全な釣用クッションゴムを提供出来る。
【図面の簡単な説明】
【図１】本発明に係わる第１実施例での一部断面図での全体を示す斜視図で
ある。
【図２】本発明に係わる第１実施例での伸長状態での１部断面図での全体斜
視図である。
【図３】本発明に係わる第２実施例での要部断面での部分図である。
【図４】従来例での全体斜視図である。
【符号の説明】
Ａ　　　　道糸
Ｂ　　　　ハリス
Ｃ　　　　空気
１．１’　クッションゴム
２　　　　中空部
３　　　　チューブ体
４　　　　中通し糸
５．５’　サルカン
６　　　　開口部
７　　　　中軸
８　　　　止め軸
【図１】
2004121202.tif 000003
【図２】
2004121202.tif 000004
【図３】
2004121202.tif 000005
【図４】
2004121202.tif 000006